(57)【要約】【課題】  ＩＣタグを利用して、容易に作業履歴を記録することが可能な、作業履歴記録システムを提供する。【解決手段】  まず、ある個体に対してある作業を行う際に、ＩＣタグリーダーを用いて、行うべき作業に対応した作業札に埋め込まれたＩＣタグからＩＤを読み取ると共に、個体に付されたＩＣタグからＩＤを読み取る。読み取ったＩＤ群を、ＩＤ読込部３０が読み込むと、ＩＤ種別判定部４０は、作業指示マスターデータ記憶部１０と、個体マスターデータ記憶部２０を参照し、読み込んだ各ＩＤが作業を特定するものか、個体を特定するものかを判定する。更新データ作成部５０は、この判定に基づいて更新データを作成し、この更新データを用いて履歴データベース６０を更新する。【選択図】  図３
2007026019.tif 000002
【特許請求の範囲】
【請求項１】
作業札に付加されたＩＣタグに記録されたＩＤと作業名を対応付けて記録した作業指示マスターデータ記憶部と、
個体に付加されたＩＣタグに記録されたＩＤを記録した個体マスターデータ記憶部と、
ＩＣタグから読み取ったＩＤ群を読み込むＩＤ読込部と、
前記ＩＤ読込部が読み込んだＩＤで、作業指示マスターデータ記憶部および個体マスターデータ記憶部を参照し、前記読み込んだＩＤが、作業指示内容を示すものであるか、個体を示すものであるかを判定するＩＤ種別判定部と、
前記ＩＤ種別判定部が判定した内容に基づいて、個体ＩＤ別に区分された更新データを作成し、この更新データを用いて履歴データベースを更新する更新データ作成部と、
を有することを特徴とする作業履歴記録システム。
【発明の詳細な説明】
【技術分野】
【０００１】
本発明は、作業現場でのＩＴシステムへの実績登録作業を簡易化するための技術に関する。
【背景技術】
【０００２】
近年、ＩＣタグを用いて、様々な物体の履歴管理等が行われるようになってきている。特に、非接触方式で読取可能な非接触ＩＣタグは、リーダー（読取装置）の付近にかざすだけで情報の読取を行うことができるため、大量の物品から迅速に情報を読み取るのに役立っている。非接触ＩＣタグとは、プラスチック等の基材にコイルパターンを形成し、このコイルと容量素子とにより共振回路を形成して一定周波数の電波を受信し送信することができるように構成されたものであり、非接触データキャリアやＲＦ−ＩＤとも呼ばれている。
【発明の開示】
【発明が解決しようとする課題】
【０００３】
最近では、非接触ＩＣタグを家畜に取り付け、各個体の管理を行うことも行われている。各個体に対しては、定期的に飼料を与えたり、様々な時期に投薬を行う等の作業を行う必要があるが、作業を行ったことを記録する場合、リーダーによりその個体のＩＤを読み取り、そのＩＤと、飼料や薬の種類を対応付けて、その場で紙等に書き込まなければならない。そのため、作業員の負荷が高く、間違いも生じ易いという問題がある。
【０００４】
そこで、本発明は、ＩＣタグを利用して、容易に作業履歴を記録することが可能な、作業履歴記録システムを提供することを課題とする。
【課題を解決するための手段】
【０００５】
上記課題を解決するため、本発明では、作業札に付加されたＩＣタグに記録されたＩＤと作業名を対応付けて記録した作業指示マスターデータ記憶部と、個体に付加されたＩＣタグに記録されたＩＤを記録した個体マスターデータ記憶部と、ＩＣタグから読み取ったＩＤ群を読み込むＩＤ読込部と、前記ＩＤ読込部が読み込んだＩＤで、作業指示マスターデータ記憶部および個体マスターデータ記憶部を参照し、前記読み込んだＩＤが、作業指示内容を示すものであるか、個体を示すものであるかを判定するＩＤ種別判定部と、前記ＩＤ種別判定部が判定した内容に基づいて、個体ＩＤ別に区分された更新データを作成し、この更新データを用いて履歴データベースを更新する更新データ作成部を有する作業履歴記録システムを提供する。
【発明の効果】
【０００６】
本発明によれば、作業指示データと個体データを参照して、読取装置により読み取ったＩＤが、作業を特定するＩＤであるか個体を特定するＩＤであるかを認識し、各個体ごとの作業履歴として履歴データベースに記録するようにしたので、作業者は簡易な作業を行うのみで、個体に対する作業履歴を得ることが可能となる。
【発明を実施するための最良の形態】
【０００７】
以下、本発明の好適な実施形態について、図面を参照して詳細に説明する。
（１．ＩＤの登録）
まず、事前にＩＣタグに記録されたＩＤの登録を行う。ここで、本実施形態において用いるＩＣタグ、およびその使用形態について説明しておく。図１に、牛や豚等の個体に取り付ける場合のＩＣタグの使用形態を示す。図１（ａ）において、中央のものがＩＣタグであり、１３５Ｋｈｚタイプ、中空円形（ドーナツ）型となっている。直径は約３０ｍｍ、厚みは約２ｍｍである。そして、左側のものは、ＩＣタグを個体の耳に装着するための耳標オス型であり、右側のものは、ＩＣタグを装着するための耳標メス型である。そして、これらを、図１（ｂ）に示すように、個体の片耳中央に、耳外側から順に、耳標オス型、ＩＣタグ、耳標メス型で装着する。耳は耳標オス型とＩＣタグの間に挟まることになる。装着の際、そのＩＣタグからＩＣタグリーダーによりＩＤを読み取り、そのＩＤを個体マスターデータに登録する。
【０００８】
図２には、作業札に取り付ける場合のＩＣタグの使用形態を示す。図２には、飼料Ａ用の作業札と、飼料Ｂ用の作業札を示してある。各作業札の構造は全て同じであり、札の内部に中空円形型のＩＣタグが埋め込まれた構造となっている。作業札に埋め込まれているＩＣタグは、個体の耳に取り付けるものと全く同一のものである。また、作業札には通し孔が設けられており、各作業員は、自分が利用する複数の作業札を、リング状のものを用いて一つにまとめ、作業時に持ち歩くことになる。なお、図２の例では、飼料名が記載されているが、投薬作業用の作業札には薬名が記載され、また、他の作業についても、それに対応した名称が記載されている。この作業札を作成する際に、そのＩＣタグからＩＣタグリーダーによりＩＤを読み取り、そのＩＤと作業札に記載された作業名（図１の例では飼料名）を対応付けて作業指示マスターデータに登録する。
【０００９】
（２．作業時のＩＤの読み取り）
次に、作業時のＩＤの読み取りについて説明する。ＩＣタグからのＩＤの読み取りには、携帯可能な通常のＩＣタグリーダーを用いる。例えば、これから何頭かの個体に対して、飼料Ａを与えることとする。この場合、まず、ＩＣタグリーダーにより、図２に示したような、“飼料Ａ”と印刷された作業札からＩＤを読み取る。ＩＣタグリーダーは読み取ったＩＤを内部の記憶領域に記録する。
【００１０】
次に、各個体に飼料Ａを実際に与え、飼料Ａを与えた個体に取り付けられたＩＣタグから、ＩＣタグリーダーによりＩＤを読み取る。ＩＣタグリーダーはこのとき読み取ったＩＤも、作業札から読み取った場合と同様に、内部の記憶領域に記録する。本実施形態で用いるＩＣタグリーダーは特別な機能を有するものではないため、作業札から読み取った場合であっても個体から読み取った場合であっても関係無く、ＩＤを読み取った順に蓄積していくことになる。
【００１１】
さらに、次に飼料Ｂを与えようとする場合、ＩＣタグリーダーにより、図２に示したような、“飼料Ｂ”と印刷された作業札からＩＤを読み取る。そして、実際に各個体に飼料Ｂを実際に与え、飼料Ｂを与えた個体に取り付けられたＩＣタグから、ＩＣタグリーダーによりＩＤを読み取る。このようにして、作業者は、これから行おうとする作業に対応する作業札からＩＤを読み取り、その後、作業を行った個体からＩＤを読み取るという処理を繰り返し行うことになる。そして、その都度、ＩＤがＩＣタグリーダー内に蓄積されていく。
【００１２】
（３．システム構成）
図３は、本発明に係る作業履歴記録システムの構成を示すブロック図である。図３において、１０は作業指示マスターデータ記憶部、２０は個体マスターデータ記憶部、３０はＩＤ読込部、４０はＩＤ種別判定部、５０は更新データ作成部、６０は履歴データベースである。図３に示した作業履歴記録システムは、汎用のコンピュータに各部として実行する専用のプログラムを搭載することにより実現される。
【００１３】
作業指示マスターデータ記憶部１０は、ＩＣタグに記録されたＩＤと、作業指示内容を対応付けて記録したものである。図４に、作業指示マスターデータ記憶部１０内に記録された作業指示マスターデータの一例を示す。図４において、例えば１行目は、ＩＤが“１０１”のＩＣタグは、その “飼料Ａ”と印刷された作業札に組み込まれており、その作業札は、“作業員１”が所持していることを示している。図４の例では、３名の作業員が、飼料Ａ、飼料Ｂについての作業を行うことを示している。
【００１４】
個体マスターデータ記憶部２０は、個体に取り付けられたＩＣタグに記録されたＩＤと、個体に関する情報を対応付けて記録したものである。図５に、個体マスターデータ記憶部２０内に記録された個体マスターデータの一例を示す。なお、ＩＤと対応付けて、個体に関する情報が記録されているが、本発明においては直接関係しないので、ここではその詳細は省略する。
【００１５】
ＩＤ読込部３０は、ＩＣタグリーダーに蓄積されたＩＤを作業履歴記録システム内に読み込む機能を有している。ＩＤ読込部３０とＩＣタグリーダー間のデータの受け渡し方式は、ＩＣタグリーダーの形式に対応しており、有線、無線、または記録媒体を介してデータを受け渡すことができる。
【００１６】
ＩＤ種別判定部４０は、ＩＤ読込部３０が読み込んだＩＤで、作業指示マスターデータ記憶部１０および個体マスターデータ記憶部２０を参照し、読み込んだＩＤが、作業指示内容を示すものであるか、個体を示すものであるかを判定する機能を有する。
【００１７】
更新データ作成部５０は、ＩＤ種別判定部４０が判定した内容に基づいて、履歴データベース更新用の更新データを作成する機能を有する。履歴データベース６０は、各個体についての作業履歴を記録したデータベースである。
【００１８】
（４．処理動作）
次に、図３に示した作業履歴記録システムの処理動作について説明する。作業履歴記録システムの処理は、ＩＣタグリーダーからＩＤを読み取ることにより始まる。ここでは、上記作業時におけるＩＣタグリーダーの読み取りにより図６に示すようなＩＤ群が得られたとして説明していく。図６においては、上から下に向かって読み取られた順にＩＤが並んでいる。
【００１９】
図６に示したＩＤ群をＩＤ読込部３０が読み込むと、ＩＤ種別判定部４０は、まず、先頭の“１０１”というＩＤで、作業指示マスターデータ記憶部１０および個体マスターデータ記憶部２０を参照する。図４に示すように、ＩＤ“１０１”は、作業指示マスターデータ記憶部１０に存在するので、ＩＤ種別判定部４０は、対応する作業名“飼料Ａ”を更新データ作成部５０に渡す。読み込んだＩＤ群における次のＩＤは、“００１”であるので、ＩＤ種別判定部４０は、 “００１”というＩＤで、作業指示マスターデータ記憶部１０および個体マスターデータ記憶部２０を参照する。図５に示すように、ＩＤ“００１”は、個体マスターデータ記憶部２０に存在するので、ＩＤ種別判定部４０は、そのＩＤをそのまま更新データ作成部５０に渡す。このようにして、ＩＤ種別判定部４０は、読み込まれたＩＤを先頭から順に判定していき、ＩＤが作業指示マスターデータ記憶部１０に存在する場合は、その作業名を更新データ作成部５０に渡し、ＩＤが個体マスターデータ記憶部２０に存在する場合は、そのＩＤをそのまま更新データ作成部５０に渡す処理を繰り返していく。
【００２０】
更新データ作成部５０は、ＩＤ種別判定部４０から受け取った作業名およびＩＤに基づいて更新用データを作成する。更新データ作成部５０は、ＩＤ種別判定部４０から作業名を受け取ると、次から受け取るＩＤは、この作業名と対応付けるべきものであることを認識し、以降受け取ったＩＤに対して、作業名を対応付けて更新データとして記録していく。そして、ＩＤ種別判定部４０から新たな作業名を受け取ると、次から受け取るＩＤは、この作業名と対応付けるべきものであることを認識し、以降受け取ったＩＤに対して、作業名を対応付けて更新データとして記録していく。同一のＩＤが２回以上出現した場合には、そのＩＤに対して複数の作業名を対応付けて記録する。このようにして、図６に示したＩＤ群に対して作成した更新データの例を図７に示す。更新データ作成部５０は、作成した更新データを履歴データベース６０に登録する。この場合、履歴データベースに同一ＩＤが既に登録されている場合には、そのＩＤに対して作業名を付加していくことになる。
【００２１】
なお、上記実施形態においては、ＩＣタグに記録されたＩＤが、作業名については、図４に示すように先頭（左端）が“１”又は“２”であり、個体については、図５に示すように先頭（左端）が“０”で統一してあるが、これは、説明の便宜上であり、実際には、作業指示マスターデータ、個体マスターデータにおいて、重複しないように登録されていれば、どのような番号となっていても良い。
【図面の簡単な説明】
【００２２】
【図１】個体に取り付けるＩＣタグの使用形態を示す図である。
【図２】作業札に取り付ける場合のＩＣタグの使用形態を示す図である。
【図３】本発明に係る作業履歴記録システムの構成を示すブロック図である。
【図４】作業指示マスターデータ記憶部１０内に記録されたデータの一例を示す図である。
【図５】個体マスターデータ記憶部２０内に記録されたデータの一例を示す。図である。
【図６】作業時にＩＣタグリーダーにより得られたＩＤ群を示す図である。
【図７】更新データ作成部５０が作成した更新データの例を示す図である。
【符号の説明】
【００２３】
１０・・・作業指示マスターデータ記憶部
２０・・・個体マスターデータ記憶部
３０・・・ＩＤ読込部
４０・・・ＩＤ種別判定部
５０・・・更新データ作成部
６０・・・履歴データベース
【図１】
2007026019.tif 000003
【図２】
2007026019.tif 000004
【図３】
2007026019.tif 000005
【図４】
2007026019.tif 000006
【図５】
2007026019.tif 000007
【図６】
2007026019.tif 000008
【図７】
2007026019.tif 000009